(57)【特許請求の範囲】
【請求項１】
動画像データを記録媒体に記録する外部機器と通信可能な通信装置であって、
前記動画像データを生成する動画像データ生成手段と、
前記動画像データを前記外部機器に送信する送信手段と、
前記記録媒体に記録された前記動画像データの一部に対応する動画像データを前記外部機器から受信する受信手段と、
前記記録媒体に記録された前記動画像データの一部に対応する動画像データを前記外部機器から受信した後、前記記録媒体に記録された前記動画像データの一部に対応する動画像データを表示手段に表示させるように制御する表示制御手段とを有することを特徴とする通信装置。
【請求項２】
前記受信手段はさらに、前記記録媒体の残りの記録可能時間に関する情報、前記記録媒体の残りの記録容量に関する情報のいずれか一つを前記外部機器から受信し、
前記記録媒体の残りの記録可能時間に関する情報を前記外部機器から受信した場合、前記表示制御手段は、前記記録媒体の残りの記録可能時間に関する情報を前記表示手段に表示させるように制御し、
前記記録媒体の残りの記録容量に関する情報を前記外部機器から受信した場合、前記表示制御手段は、前記記録媒体の残りの記録容量に関する情報を前記表示手段に表示させるように制御することを特徴とする請求項１に記載の通信装置。
【請求項３】
前記受信手段はさらに、前記外部機器のバッテリの残りの容量に関する情報、前記外部機器のバッテリの残りの容量に基づく前記記録媒体の記録可能時間に関する情報のいずれか一つを前記外部機器から受信し、
前記外部機器のバッテリの残りの容量に関する情報を前記外部機器から受信した場合、前記表示制御手段は、前記外部機器のバッテリの残りの容量に関する情報を前記表示手段に表示させるように制御し、
前記外部機器のバッテリの残りの容量に基づく前記記録媒体の記録可能時間に関する情報を前記外部機器から受信した場合、前記表示制御手段は、前記外部機器のバッテリの残りの容量に基づく前記記録媒体の記録可能時間に関する情報を前記表示手段に表示させるように制御することを特徴とする請求項１または２に記載の通信装置。
【請求項４】
前記記録媒体に記録された前記動画像データの一部に対応する動画像データは、前記記録媒体に記録された前記動画像データの最後の部分を含むことを特徴とする請求項１から３のいずれか１項に記載の通信装置。
【請求項５】
前記記録媒体に記録された前記動画像データの一部に対応する動画像データは、前記記録媒体に記録された前記動画像データの最初の部分を含むことを特徴とする請求項１から３のいずれか１項に記載の通信装置。
【請求項６】
前記記録媒体に記録された前記動画像データの一部に対応する動画像データを送信する処理を前記外部機器に開始させるためのコマンドを前記外部機器に送信するように制御する制御手段をさらに有することを特徴とする請求項１から５のいずれか１項に記載の通信装置。
【請求項７】
前記動画像データを記録媒体に記録させるための記録制御手段をさらに有することを特徴とする請求項１から６のいずれか１項に記載の通信装置。
【請求項８】
動画像データを生成する通信装置と通信可能であり、前記通信装置から送信された前記動画像データを記録媒体に記録する外部機器として動作する記録装置であって、
前記動画像データを前記通信装置から受信する受信手段と、
前記動画像データを前記記録媒体に記録させるための記録制御手段と、
前記記録媒体に記録された前記動画像データの一部に対応する動画像データを前記通信装置に送信する送信手段とを有することを特徴とする記録装置。
【請求項９】
前記送信手段はさらに、前記記録媒体の残りの記録可能時間に関する情報、前記記録媒体の残りの記録容量に関する情報のいずれか一つを前記通信装置に送信することを特徴とする請求項８に記載の記録装置。
【請求項１０】
前記送信手段はさらに、前記外部機器のバッテリの残りの容量に関する情報、前記外部機器のバッテリの残りの容量に基づく前記記録媒体の記録可能時間に関する情報のいずれか一つを前記通信装置に送信することを特徴とする請求項８または９に記載の記録装置。
【請求項１１】
前記記録媒体に記録された前記動画像データの一部に対応する動画像データは、前記記録媒体に記録された前記動画像データの最後の部分を含むことを特徴とする請求項８から１０のいずれか１項に記載の記録装置。
【請求項１２】
前記記録媒体に記録された前記動画像データの一部に対応する動画像データは、前記記録媒体に記録された前記動画像データの最初の部分を含むことを特徴とする請求項８から１０のいずれか１項に記載の記録装置。
【請求項１３】
前記記録媒体に記録された前記動画像データの一部に対応する動画像データを前記通信装置に送信する処理を開始させるためのコマンドを前記通信装置から受信した場合に、前記記録媒体に記録された前記動画像データの一部に対応する動画像データを前記通信装置に送信する処理を開始するように制御する制御手段をさらに有することを特徴とする請求項８から１２のいずれか１項に記載の記録装置。
【請求項１４】
動画像データを記録媒体に記録する外部機器と通信可能な通信装置であって、
前記動画像データを生成する動画像データ生成手段と、
前記動画像データを前記外部機器に送信する送信手段と、
前記記録媒体に記録された前記動画像データの一部に対応する動画像データを前記外部機器から受信する受信手段と、
前記記録媒体に記録された前記動画像データの一部に対応する動画像データを前記外部機器から受信した後、前記記録媒体に記録された前記動画像データの一部に対応する動画像データを表示手段に表示させるように制御する表示制御手段とを有する通信装置としてコンピュータを機能させるためのプログラム。
【請求項１５】
前記受信手段はさらに、前記記録媒体の残りの記録可能時間に関する情報、前記記録媒体の残りの記録容量に関する情報のいずれか一つを前記外部機器から受信し、
前記記録媒体の残りの記録可能時間に関する情報を前記外部機器から受信した場合、前記表示制御手段は、前記記録媒体の残りの記録可能時間に関する情報を前記表示手段に表示させるように制御し、
前記記録媒体の残りの記録容量に関する情報を前記外部機器から受信した場合、前記表示制御手段は、前記記録媒体の残りの記録容量に関する情報を前記表示手段に表示させるように制御することを特徴とする請求項１４に記載のプログラム。
【請求項１６】
前記受信手段はさらに、前記外部機器のバッテリの残りの容量に関する情報、前記外部機器のバッテリの残りの容量に基づく前記記録媒体の記録可能時間に関する情報のいずれか一つを前記外部機器から受信し、
前記外部機器のバッテリの残りの容量に関する情報を前記外部機器から受信した場合、前記表示制御手段は、前記外部機器のバッテリの残りの容量に関する情報を前記表示手段に表示させるように制御し、
前記外部機器のバッテリの残りの容量に基づく前記記録媒体の記録可能時間に関する情報を前記外部機器から受信した場合、前記表示制御手段は、前記外部機器のバッテリの残りの容量に基づく前記記録媒体の記録可能時間に関する情報を前記表示手段に表示させるように制御することを特徴とする請求項１４または１５に記載のプログラム。
【請求項１７】
前記記録媒体に記録された前記動画像データの一部に対応する動画像データは、前記記録媒体に記録された前記動画像データの最後の部分を含むことを特徴とする請求項１４から１６のいずれか１項に記載のプログラム。
【請求項１８】
前記記録媒体に記録された前記動画像データの一部に対応する動画像データは、前記記録媒体に記録された前記動画像データの最初の部分を含むことを特徴とする請求項１４から１６のいずれか１項に記載のプログラム。
【請求項１９】
前記通信装置は、前記記録媒体に記録された前記動画像データの一部に対応する動画像データを送信する処理を前記外部機器に開始させるためのコマンドを前記外部機器に送信するように制御する制御手段をさらに有することを特徴とする請求項１４から１８のいずれか１項に記載のプログラム。
【請求項２０】
前記通信装置は、前記動画像データを記録媒体に記録させるための記録制御手段をさらに有することを特徴とする請求項１４から１９のいずれか１項に記載のプログラム。
【請求項２１】
動画像データを生成する通信装置と通信可能であり、前記通信装置から送信された前記動画像データを記録媒体に記録する外部機器として動作する記録装置であって、
前記動画像データを前記通信装置から受信する受信手段と、
前記動画像データを前記記録媒体に記録させるための記録制御手段と、
前記記録媒体に記録された前記動画像データの一部に対応する動画像データを前記通信装置に送信する送信手段とを有する記録装置としてコンピュータを機能させるためのプログラム。
【請求項２２】
前記送信手段はさらに、前記記録媒体の残りの記録可能時間に関する情報、前記記録媒体の残りの記録容量に関する情報のいずれか一つを前記通信装置に送信することを特徴とする請求項２１に記載のプログラム。
【請求項２３】
前記送信手段はさらに、前記外部機器のバッテリの残りの容量に関する情報、前記外部機器のバッテリの残りの容量に基づく前記記録媒体の記録可能時間に関する情報のいずれか一つを前記通信装置に送信することを特徴とする請求項２１または２２に記載のプログラム。
【請求項２４】
前記記録媒体に記録された前記動画像データの一部に対応する動画像データは、前記記録媒体に記録された前記動画像データの最後の部分を含むことを特徴とする請求項２１から２３のいずれか１項に記載のプログラム。
【請求項２５】
前記記録媒体に記録された前記動画像データの一部に対応する動画像データは、前記記録媒体に記録された前記動画像データの最初の部分を含むことを特徴とする請求項２１から２３のいずれか１項に記載のプログラム。
【請求項２６】
前記記録装置は、前記記録媒体に記録された前記動画像データの一部に対応する動画像データを前記通信装置に送信する処理を開始させるためのコマンドを前記通信装置から受信した場合に、前記記録媒体に記録された前記動画像データの一部に対応する動画像データを前記通信装置に送信する処理を開始するように制御する制御手段をさらに有することを特徴とする請求項２１から２５のいずれか１項に記載のプログラム。
【発明の詳細な説明】
【技術分野】
【０００１】
本発明は、動画像データを外部機器に送信する通信装置等に関する。
【背景技術】
【０００２】
デジタルビデオカメラ（以下、ＤＶＣと称する）は、一般に、当該ＤＶＣにより撮像した映像（動画像データ）を当該ＤＶＣに装着された磁気テープに記録するように構成されている。また、ユーザは、例えばＤＶＣ上のボタンを操作することにより、磁気テープに直前に記録した一連の動画像データの一部をＤＶＣ上の液晶ディスプレイ等に表示させて、動画像データを磁気テープに正常に記録できたか否かを確認することができる（特許文献１、及び特許文献２参照）。
【０００３】
また、最近のＤＶＣは、内部の磁気テープだけでなく、ＤＶＣとデジタルインタフェースを介して接続された外部機器の記録媒体にも撮像した動画像データを記録できるようになっている。この場合の外部機器としては、一般に、ノート型パーソナルコンピュータ（以下、ノートＰＣという）が使用され、外部機器の記録媒体としては、ハードディスク（以下、ＨＤＤと称する）が使用される。外部機器の記録媒体に記録する機能は、例えば、デジタルインタフェースがＩＥＥＥ１３９４である場合は、ＡＶＣコマンドセットに対応したアプリケーションを外部機器にインストールすることによって実現することができる。
【０００４】
撮像した動画像データを外部機器の記録媒体に記録する機能は、例えば屋外でＤＶＣを使用する場合に有効に活用することができる。すなわち、ユーザは、ＩＥＥＥ１３９４ケーブル等でＤＶＣと接続したノートＰＣをショルダバッグに入れて、ＤＶＣを手に持って屋外で撮像を行うことにより、ＤＶＣに装着した磁気テープの残記録容量を意識することなく、長時間に亘って撮像した動画像データを記録することができる。この場合、撮像した動画像データを編集する際に、ＤＶＣに装着した磁気テープ上の動画像データをＰＣに取り込む必要が無く、編集作業時間を短縮することも可能となる。
【特許文献１】特開２０００−３５０１３５
【特許文献２】特開２００１−０５７６６２
【発明の開示】
【発明が解決しようとする課題】
【０００５】
しかしながら、従来技術では、外部機器内の記録媒体に動画像データが正常に記録されたか否かを、ＤＶＣ上で確認することができなかった。そのため、上記のような態様で撮像を行なった場合に、ユーザは、ショルダバッグを開けてノートＰＣ上で上記の確認作業を行う必要があり、不便であった。
【０００６】
また、上記のような態様で撮像を行なった場合は、ノートＰＣ上のＨＤＤ等の記録媒体の残記録容量、バッテリの残電荷容量等の情報、すなわち、今後、ＤＶＣからノートＰＣに転送可能な動画像データの量や転送可能時間等をユーザが認識するための情報を、ＤＶＣ上で取得できるようにすることが要望されていた。
【０００７】
本発明は、このような背景の下になされたもので、外部機器側の記録媒体に記録された動画像データの記録状況に関する情報をユーザに提示できるようにすることを目的とする。
【課題を解決するための手段】
【０００８】
本発明に係る通信装置は、動画像データを記録媒体に記録する外部機器と通信可能な通信装置であって、前記動画像データを生成する動画像データ生成手段と、前記動画像データを前記外部機器に送信する送信手段と、前記記録媒体に記録された前記動画像データの一部に対応する動画像データを前記外部機器から受信する受信手段と、前記記録媒体に記録された前記動画像データの一部に対応する動画像データを前記外部機器から受信した後、前記記録媒体に記録された前記動画像データの一部に対応する動画像データを表示手段に表示させるように制御する表示制御手段とを有することを特徴とする通信装置である。
本発明に係る記録装置は、動画像データを生成する通信装置と通信可能であり、前記通信装置から送信された前記動画像データを記録媒体に記録する外部機器として動作する記録装置であって、前記動画像データを前記通信装置から受信する受信手段と、前記動画像データを前記記録媒体に記録させるための記録制御手段と、前記記録媒体に記録された前記動画像データの一部に対応する動画像データを前記通信装置に送信する送信手段とを有することを特徴とする記録装置である。
本発明に係るプログラムの一つは、動画像データを記録媒体に記録する外部機器と通信可能な通信装置であって、前記動画像データを生成する動画像データ生成手段と、前記動画像データを前記外部機器に送信する送信手段と、前記記録媒体に記録された前記動画像データの一部に対応する動画像データを前記外部機器から受信する受信手段と、前記記録媒体に記録された前記動画像データの一部に対応する動画像データを前記外部機器から受信した後、前記記録媒体に記録された前記動画像データの一部に対応する動画像データを表示手段に表示させるように制御する表示制御手段とを有する通信装置としてコンピュータを機能させるためのプログラムである。
本発明に係るプログラムの一つは、動画像データを生成する通信装置と通信可能であり、前記通信装置から送信された前記動画像データを記録媒体に記録する外部機器として動作する記録装置であって、前記動画像データを前記通信装置から受信する受信手段と、前記動画像データを前記記録媒体に記録させるための記録制御手段と、前記記録媒体に記録された前記動画像データの一部に対応する動画像データを前記通信装置に送信する送信手段とを有する記録装置としてコンピュータを機能させるためのプログラムである。
【発明の効果】
【０００９】
本発明によれば、外部機器側の記録媒体に記録された動画像データの記録状況に関する情報をユーザに提示することができる。
【発明を実施するための最良の形態】
【００１１】
以下、本発明を実施するための最良の形態を、図面に基づいて説明する。図１は、本発明の実施の形態に係る通信装置を適用した通信システムのシステム構成図である。図１において、ＤＶＣ（デジタルビデオカメラ）１０１とノートＰＣ１０３は、ＩＥＥＥ１３９４ケーブル１０２により接続され、相互に通信可能となっている。なお、ＩＥＥＥ１３９４ケーブル１０２の代わりに、例えば、ＵＳＢ、Ｅｔｈｅｒｎｅｔ（登録商標）、ＩＥＥＥ８０２．１１ａ、ＩＥＥＥ８０２．１１ｂ、ＩＥＥＥ８０２．１１ｇ等のデジタルインタフェースに係るケーブルを使用することも可能である。さらに、無線ＬＡＮ等の無線通信媒体でＤＶＣ１０１とノートＰＣ１０３を接続することも可能である。
【００１２】
また、本実施の形態では、ＤＶＣ１０１とノートＰＣ１０３は、ＡＶ／Ｃ  Ｄｉｇｉｔａｌ  Ｉｎｔｅｒｆａｃｅ  Ｃｏｍｍａｎｄ  Ｓｅｔ  Ｇｅｎｅｒａｌ  Ｓｐｅｃｉｆｉｃａｔｉｏｎ  Ｖｅｒｓｉｏｎ  ４．１（Ｎｏｖｅｍｂｅｒ  １９，  ２００１）、及びＡＶ／Ｃ  Ｔａｐｅ  Ｒｅｃｏｒｄｅｒ／Ｐｌａｙｅｒ  Ｓｕｂｕｎｉｔ  Ｓｐｅｃｉｆｉｃａｔｉｏｎ  ２．２（Ｄｅｃｅｍｂｅｒ１１，  ２００１）で規定された規格に準拠した通信を行なっている。ここでは、前者の規格は１３９４一般規格と呼び、後者の規格は１３９４テープサブユニット規格と呼ぶこととする。
【００１３】
また、ＤＶＣ１０１は、撮像処理、及び撮像された動画像データを記録するカメラモードと、記録された動画像データを再生するＶＴＲモードを有している。
【００１４】
図２は、ＤＶＣ１０１の制御系の概略構成を示すブロック図である。撮像制御部２０１は、画像光をＣＣＤ（図示省略）により光電変換して生成されたアナログの画像信号をデジタルの画像信号に変換する等の変換処理を行なって全体制御部２０３に出力する。
【００１５】
全体制御部２０３は、画像処理部を有しており、撮像制御部２０１から入力されたデジタルの画像信号に対して画像処理部によりガンマ補正処理等の画像処理を施す。また、全体制御部２０３は、撮像制御部２０１、表示制御部２０２、記録再生制御部２０４、操作制御部２０５、及び通信制御部２０６を適宜制御することにより、撮像処理、画像記録・再生処理、画像通信処理等の一連の処理を全体的に制御する。
【００１６】
さらに、全体制御部２０３は、カメラモード時には、記録対象の動画像データをＤＶフォーマットに変換して記録再生制御部２０４に出力する。なお、ＤＶフォーマットでは、各駒、すなわち各フレームに対して昇順にフレーム番号が割り付けられる。すなわち、ＤＶフォーマットの動画像データは、デジタルデータとしてフレーム単位でアクセスできるので、ノートＰＣ１０３でノンリニア編集を行なう際に画質の劣化が生じることはほとんどない。このＤＶフォーマットの詳細については、Ｓｐｅｃｉｆｉｃａｔｉｏｎｓ  ｏｆ  Ｃｏｎｓｕｍｅｒ−Ｕｓｅ  Ｄｉｇｉｔａｌ  ＶＣＲｓ（Ｐａｒｔ２  ＳＤ，  Ｐａｒｔ６  ＳＤＬ）を参照されたい。
【００１７】
全体制御部２０３は、図示省略したＲＯＭ等に格納されたアプリケーションプログラムに基づいて、上記の撮像処理、画像記録・再生処理、画像通信処理等の一連の処理を全体的に制御する。このアプリケーションプログラムには、後述する図４のステップＳ４０１，Ｓ４０２，Ｓ４０４、図６のステップＳ６０１，Ｓ６０４，Ｓ６０６，Ｓ６０８，Ｓ６１０に係る処理を行なうプログラムも含まれている。
【００１８】
表示制御部２０３は、全体制御部２０３の制御の下に、撮像された動画像データ、当該ＤＶＣ１０１のモード情報、操作情報等の各種の情報等を液晶ディスプレイ（図示省略）等に表示する表示処理を制御する。記録再生制御部２０４は、全体制御部２０３から供給されたＤＶフォーマットの動画像データを磁気テープ（図示省略）に記録し、また、磁気テープに記録された動画像データを再生表示すべく読み出す記録再生処理を制御する。
【００１９】
操作制御部２０５は、各種のボタンスイッチ等の操作子の操作状況を監視し、操作された操作子に対応する操作信号を全体制御部２０３に出力する。通信制御部２０６は、ＩＥＥＥ１３９４ケーブル１０２を接続可能なＤＶ端子（図示省略）を有している。通信制御部２０６は、上記のＤＶフォーマットの動画像データ等をノートＰＣ１０３との間で送受信する通信処理を制御する。
【００２０】
なお、通信制御部２０６は、動画像データについては、ＩＥＥＥ１３９４で規定されている同期転送を行い、コマンドについてはＩＥＥＥ１３９４で規定されている非同期転送を行う。また、通信制御部２０６は、前述の１３９４一般規格、１３９４テープサブユニット規格に準拠したコマンドを用いて、ＰＣ１０３との間での通信を制御している。なお、後述するノートＰＣ１０３の通信制御部３０１の構成は、以上説明したＤＶＣ１０１の通信制御部２０６の構成と同様である。
【００２１】
図３は、ノートＰＣ１０３の制御系の概略構成を示すブロック図である。通信制御部３０１は、ＩＥＥＥ１３９４に係る通信制御を行う。全体制御部３０２は、ノートＰＣ１０３全体の制御を行う。また、全体制御部３０２は、ＤＶＣ１０１に関連する処理を行なうアプリケーションプログラムを実行する。このアプリケーションプログラムには、ＤＶＣ１０１から転送されてきたＤＶフォーマットの動画像データをノンリニア編集するプログラムの他に、後述する図４のステップＳ４０３，Ｓ４０５、図６のステップＳ６０２，Ｓ６０３，Ｓ６０５，Ｓ６０７，Ｓ６０９に係る処理を行なうプログラムも含まれている。
【００２２】
記録制御部３０３は、当該ノートＰＣ１０３に内蔵されたＨＤＤ（図示省略）に上記のＤＶフォーマットの動画像データを記録する記録処理等を制御する。表示制御部３０４は、液晶ディスプレイ（図示省略）等に各種のデータ等を表示する表示処理を制御する。
【００２３】
電源制御部３０５は、ＡＣ電源、バッテリの出力から所定のＤＣ電圧を生成するスイッチングレギュレータ、各種のＤＣ電圧を生成するＤＣ−ＤＣコンバータ（何れも図示省略）等を制御する。また、電源制御部３０４は、バッテリの残電荷容量を検出する機能も備えている。
【００２４】
次に、ＤＶＣ１０１により撮像された動画像データをノートＰＣ１０３に記録する外部記録処理を、図４のシーケンス図に基づいて説明する。なお、図４に係る外部記録処理は、ＤＶＣ１０１とノートＰＣ１０３をＩＥＥＥ１３９４ケーブル１０２で接続した状態でＤＶＣ１０１により撮像を行なう場合の外部記録処理を示すものである。
【００２５】
ＤＶＣ１０１の全体制御部２０３は、操作制御部２０５から記録開始ボタンの操作信号が入力されると、カメラモードを設定して撮像に係る動画像データの記録処理を開始する（ステップＳ４０１）。
【００２６】
カメラモードが設定されると、撮像制御部２０１の制御の下で撮像された動画像データは、全体制御部２０３によりＤＶフォーマットに変換される。このＤＶフォーマットの動画像データは、記録再生制御部２０４により、ＤＶＣ１０１に装着された磁気テープに記録されると共に、通信制御部２０６により、ＩＥＥＥ１３９４ケーブル１０２を介して同期転送（アイソクロナス転送）で、ノートＰＣ１０３に転送される。
【００２７】
次に、ＤＶＣ１０１の全体制御部２０３は、１３９４テープサブユニット規格で定義されているＲＥＣＯＲＤコマンドを、通信制御部２０６を介してＰＣ１０３に発行する（ステップＳ４０２）。このＲＥＣＯＲＤコマンドのＯｐｅｒａｎｄ［０］の値は、図５に示したように、ＲＥＣＯＲＤを示す「０ｘ７５」となっている。
【００２８】
次に、ノートＰＣ１０３の全体制御部３０２は、通信制御部３０１を介してＲＥＣＯＲＤコマンドを受信すると、記録制御部３０３に対して、ＤＶＣ１０１から順次転送されてくるＤＶフォーマットの動画像データをＨＤＤに記録する記録処理を開始させる（ステップＳ４０３）。
【００２９】
ＤＶＣ１０１の全体制御部２０３は、操作制御部２０５から記録休止ボタンの操作信号が入力されると、１３９４テープサブユニット規格で定義されているＲＥＣＰＡＵＳＥコマンドを、通信制御部２０６を介してノートＰＣ１０３に発行する（ステップＳ４０４）。図示省略したが、このＲＥＣＰＡＵＳＥコマンドのＯｐｅｃｏｄｅの値は、図５に示したＲＥＣＯＲＤコマンドのＯｐｅｃｏｄｅの値と同じであり、Ｏｐｅｒａｎｄ［０］の値は「０ｘ７Ｄ」となっている。
【００３０】
ノートＰＣ１０３の全体制御部３０２は、通信制御部３０１を介してＲＥＣＰＡＵＳＥコマンドを受信すると、記録制御部３０３に対して、ＤＶＣ１０１から順次転送されてくるＤＶフォーマットの動画像データをＨＤＤに記録する記録処理を休止させる（ステップＳ４０５）。
【００３１】
以上のシーケンスにより、ＤＶＣ１０１にて撮像している動画像データが、リアルタイムにノートＰＣ１０３内のＨＤＤに記録される。
【００３２】
次に、本実施の形態に特有なＲｅｃＲｅｖｉｅｗ処理を、図６のシーケンス図に基づいて説明する。なお、このＲｅｃＲｅｖｉｅｗ処理は、ノートＰＣ１０３内のＨＤＤ上に記録された動画像データの記録確認（記録調査）を行なうための処理であり、原則として、図４の記録処理を行なった直後に行なうものとする。また、以下の説明において、ＤＶＣ１０１とノートＰＣ１０３との間のデータ、コマンドの送受信は、ＤＶＣ１０１の通信制御部２０６、ＩＥＥＥ１３９４ケーブル１０２、ノートＰＣ１０３の通信制御部３０１を介して行なわれるものとする。
【００３３】
ＤＶＣ１０１の全体制御部２０３は、操作制御部２０５から外部記録確認ボタンの操作信号が入力されると、ＲｅｃＲｅｖｉｅｗコマンドをノートＰＣ１０３に発行する（ステップＳ６０１）。このＲｅｃＲｅｖｉｅｗコマンドのＯｐｅｒａｎｄ［０］の値は、図７に示したように、Ｏｐｅｃｏｄｅの値「０ｘ００」と同じ値となっている。
【００３４】
ノートＰＣ１０３の全体制御部３０２は、ＲｅｃＲｅｖｉｅｗコマンドを受信すると（ステップＳ６０２）、１３９４一般規格で規定されているＣＯＮＮＥＣＴ  ＡＶコマンドをＤＶＣ１０１に発行する（ステップＳ６０３）。ＤＶＣ１０１の全体制御部２０３は、ＣＯＮＮＥＣＴ  ＡＶコマンドを受信すると、カメラモードからＶＴＲモードに変更する（ステップＳ６０４）。
【００３５】
ＣＯＮＮＥＣＴ  ＡＶコマンドは、図８に示したように、Ｏｐｅｃｏｄｅの値は「０ｘ２０」となっており、Ｏｐｅｒａｎｄ［０］には、Ｖｉｄｅｏ＿ｓｏｕｒｃｅ＿ｔｙｐｅ、Ａｕｄｉｏ＿ｓｏｕｒｃｅ＿ｔｙｐｅ、Ｖｉｄｅｏ＿ｄｅｓｔ＿ｔｙｐｅ、Ａｕｄｉｏ＿ｄｅｓｔ＿ｔｙｐｅの各値が記述されている。また、ＣＯＮＮＥＣＴ  ＡＶコマンドのＯｐｅｒａｎｄ［１］，［２］，［３］，［４］には、それぞれ、Ｖｉｄｅｏ＿ｓｏｕｒｃｅ、Ａｕｄｉｏ＿ｓｏｕｒｃｅ、Ｖｉｄｅｏ＿ｄｅｓｔｉｎａｔｉｏｎ、Ａｕｄｉｏ＿ｄｅｓｔｉｎａｔｉｏｎの値が記述されている。
【００３６】
ノートＰＣ１０３の全体制御部３０２は、ＣＯＮＮＥＣＴ  ＡＶコマンドをＤＶＣ１０１に発行した後、応答データ、すなわち、記録確認用のデータを順時生成して、ＤＶＣ１０１に送信する処理を開始する（ステップＳ６０５）。この記録確認用のデータは、後述するＨＤＤへの動画像データの記録状況に関する情報に相当するものである。
【００３７】
すなわち、ノートＰＣ１０３の全体制御部３０２は、記録確認用のデータとして、直前にＨＤＤに記録された一連の動画像データのうち最後の３秒間のフレーム分のＤＶフォーマットの動画像データを、記録制御部３０３により読み出させて取得する。この場合、ＤＶフォーマットでは１秒間のフレームは３０フレームで構成されているため、最後の９０フレーム分の動画像データを取得すればよいことになる。
【００３８】
また、ノートＰＣ１０３の全体制御部３０２は、記録確認用のデータとして、ＨＤＤに対する動画像データの残りの記録可能時間を、記録制御部３０３から取得する。この場合、記録制御部３０３は、例えば、ＨＤＤの残記録容量をバイト単位で検出し、このバイト数で示されるＨＤＤの残記録容量をＤＶフォーマットの動画像データの転送速度２８．８Ｍｂｐｓを使用して時間に換算することにより、この換算値を残りの記録可能時間として算出する。また、ノートＰＣ１０３の全体制御部３０２は、記録確認用のデータとして、電源制御部３０５から現在のバッテリの残電荷容量を取得する。
【００３９】
そして、ノートＰＣ１０３の全体制御部３０２は、最後の９０フレーム分のＤＶフォーマットの各動画像データに、それぞれＨＤＤの残りの記録可能時間、バッテリの残電荷容量の情報を埋め込む。次に、ノートＰＣ１０３の全体制御部３０２は、ＨＤＤの残りの記録可能時間、バッテリの残電荷容量の情報をそれぞれ埋め込んだ最後の９０フレーム分のＤＶフォーマットの各動画像データを、アイソクロナス転送で順次ＤＶＣ１０１に転送する（ステップＳ６０５，Ｓ６０７）。
【００４０】
ＤＶＣ１０１の全体制御部２０３は、ノートＰＣ１０３から順次転送されてくる上記のＤＶフォーマットの動画像データを順次受信する。そして、ＤＶＣ１０１の全体制御部２０３は、受信した上記のＤＶフォーマットの動画像データを伸張して元の動画像データのフォーマットに戻し、上記ＨＤＤの残りの記録可能時間、バッテリの残電荷容量の情報と共に、表示制御部２０２により、液晶ディスプレイに表示させる（ステップＳ６０６，Ｓ６０８）。
【００４１】
すなわち、ＤＶＣ１０１の液晶ディスプレイには、図９に示したように、ノートＰＣ１０３内のＨＤＤに記録した動画像データ９０１と共に、ＨＤＤの残りの記録可能時間とバッテリの残電荷容量の情報９０２が表示される。
【００４２】
ノートＰＣ１０３の全体制御部３０２は、最後の３秒間の動画像データ等を転送し終えると、ＤＶＣ１０１に対してＣＯＮＮＥＣＴ  ＡＶコマンドを発行する（ステップＳ６０９）。ＤＶＣ１０１の全体制御部２０３は、受信したＣＯＮＮＥＣＴ  ＡＶコマンドに基づいてＶＴＲモードからカメラモードに変更する（ステップＳ６１０）。
【００４３】
以上説明したように、本実施の形態では、ＤＶＣ１０１上のボタンを操作することにより、外部機器であるノートＰＣ１０３内の記録媒体（ＨＤＤ）に記録された最後の３秒間の動画像データをＤＶＣ１０１上の表示装置（液晶ディスプレイ）に表示するようにしている。従って、ＤＶＣ１０１により撮像した動画像データがノートＰＣ１０３内のＨＤＤに正常に記録されたか否かを、ＤＶＣ１０１上で確認することが可能となる。
【００４４】
換言すれば、例えば、ＤＶＣ１０１とＩＥＥＥ１３９４ケーブル等で接続したノートＰＣ１０３をショルダバッグに入れて、ＤＶＣ１０１を手に持って屋外で撮像を行った場合に、従来のように、ショルダバッグを開けてノートＰＣ１０３上で上記の記録確認作業を行う必要がなくなり、利便性が向上する。
【００４５】
また、本実施の形態では、ノートＰＣ１０３内のＨＤＤに記録された動画像データと共に、当該ＨＤＤの残りの記録可能時間と当該ノートＰＣ１０３のバッテリの残電荷容量を表示している。従って、次の動画像データをノートＰＣ１０３内のＨＤＤに記録する際に、当該ＨＤＤがオーバフローになって今まで当該ＨＤＤに記録されていた動画像データが上書により消失するのを未然に防止することが可能となる。
【００４６】
なお、本発明は、上記の実施の形態に限定されることはない。例えば、ノートＰＣ１０３のＨＤＤに最後に記録された３秒間の動画像データをＤＶＣ１０１に送信することなく、そのＨＤＤがランダムアクセスメディアであることを利用して、一連の動画像データのうち最初に記録された動画像データ、或いはランダムに選択したフレームの動画像データをＤＶＣ１０１に送信することも可能である。また、上記ＨＤＤに何も記録されていない場合は、ＨＤＤの残りの記録可能時間とバッテリの残電荷容量のみをＤＶＣ１０１に送信し、動画像データは送信しないようにすることは言うまでもない。
【００４７】
さらに、バッテリの残電荷容量の代わりに、そのバッテリの残電荷容量に基づくＨＤＤへの動画像データの記録処理の可能処理時間をＤＶＣ１０１に送信することも可能である。この場合、ＨＤＤの残りの記録可能時間とバッテリの残電荷容量に基づくＨＤＤへの動画像データの記録処理の可能処理時間を比較し、何れか短い方の時間だけを動画像データと共に送信するようにしてもよい。このように何れか短い方の時間だけを送信する場合は、ノートＰＣ１０３の負荷が軽減されるので、ノートＰＣ１０３をバッテリだけで駆動する時間を延ばすことが可能となる。
【００４８】
また、送信する全てのフレームの動画像データに対して上記のＨＤＤの残りの記録可能時間、バッテリの残電荷容量等のＨＤＤへの動画像データの記録状況に関する情報を付加する必要はない。すなわち、一部のフレームの動画像データに対して上記の記録状況に関する情報を付加することも可能である。この場合も、ノートＰＣ１０３の負荷が軽減され、ノートＰＣ１０３をバッテリだけで駆動する時間を延ばすことが可能となる。
【００４９】
また、ＨＤＤの残り可能記録容量、バッテリの残電荷容量の代わりに又はこれら情報と共に、ノートＰＣのアプリケーションプログラムに関する全ての情報、ＨＤＤに関連する全ての情報、電源に関する全ての情報等、ＰＣ１０３が所持する各種の情報をＤＶＣに送信することも可能である。
【００５０】
また、ＨＤＤへの動画像データの記録状況に関する情報としては、ＨＤＤの残り可能記録容量、バッテリの残電荷容量等に基づいて算出したＤＶフォーマットの動画像データのフレーム数等の動画像データのデータ量をＤＶＣに送信することも可能である。また、ＨＤＤへの動画像データの記録状況に関する情報のうち、ＨＤＤの残り可能記録容量、バッテリの残電荷容量等の情報は、ＤＶＣの音声出力機能を活用して、音声として出力することも可能である。
【００５１】
また、本発明は、ノートＰＣは、ＤＶＣの所定のボタンの操作に応じてＤＶＣからなされる指令に応じてＨＤＤへの動画像データの記録状況に関する情報をＤＶＣに送信することに限定されるものではない。例えば、ＤＶＣからパケットで動画像データが転送されてくる場合は、ノートＰＣは、そのパケットのヘッダ情報に基づいて動画像データの転送終了を認識し、自発的にＨＤＤへの動画像データの記録状況に関する情報をＤＶＣに送信することも可能である。或いは、ＤＶＣからの動画像データの転送が所定時間以上停止した場合に、ノートＰＣは、動画像データの転送が終了したものと見做して、自発的にＨＤＤへの動画像データの記録状況に関する情報をＤＶＣに送信することも可能である。
【００５２】
また、動画像を撮像するデジタルビデオカメラだけでなく、静止画を撮像するデジタルカメラに本実施の形態に係る処理を適用することも可能である。また、デジタルビデオカメラは、動画像データの記録媒体として、磁気テープの代わりにＨＤＤ等の記録媒体を有していてもよい。また、ノートＰＣがＨＤＤ以外の大容量の記録媒体に動画像データを記録する場合にも、上記の実施の形態の機能を適用することが可能である。
【００５３】
さらに、本発明は、上述した実施の形態の装置に限定されず、複数の機器から構成されるシステムに適用しても、１つの機器からなる装置に適用してもよい。
【００５４】
また、本発明の目的は、前述した実施の形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出して実行することによっても達成されることは言うまでもない。
【００５５】
この場合、記憶媒体から読み出されたプログラムコード自体が前述した実施の形態の機能を実現することになり、そのプログラムコード及び該プログラムコードを記憶した記憶媒体は本発明を構成することになる。
【００５６】
プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００５７】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００５９】
【図１】本発明の実施の形態に係る通信装置を適用した通信システムのシステム構成図である。
【図２】図１の通信システムにおけるデジタルビデオカメラの制御系の概略構成を示すブロック図である。
【図３】図１の通信システムにおけるノートＰＣの制御系の概略構成を示すブロック図である。
【図４】上記デジタルビデオカメラにより撮像された動画像データをノートＰＣに記録する外部記録処理を示すシーケンス図である。
【図５】上記外部記録処理で用いるＲＥＣＯＲＤコマンドの構成例を示す図である。
【図６】上記ノートＰＣに外部記録された動画像データを上記デジタルビデオカメラ側で確認する記録確認処理を示すシーケンス図である。
【図７】上記記録確認処理を指令するＲｅｃＲｅｖｉｅｗコマンドの構成例を示す図である。
【図８】上記記録確認処理で用いるＣＯＮＮＥＣＴ  ＡＶコマンドの構成例を示す図である。
【図９】上記記録確認処理でデジタルビデオカメラ側に表示される記録確認画面例を示す図である。
【符号の説明】
【００６０】
１０１…デジタルビデオカメラ、１０２…ＩＥＥＥ１３９４ケーブル、１０３…ノートＰＣ、２０１…撮像制御部、２０２…表示制御部、２０３…デジタルカメラ側の全体制御部、２０５…操作制御部、２０６…デジタルカメラ側の通信制御部、３０１…ノートＰＣ側の通信制御部、３０２…ノートＰＣ側の全体制御部、３０３…記録制御部、３０５…電源制御部
【図１】
0004649320.tif 000002
【図２】
0004649320.tif 000003
【図３】
0004649320.tif 000004
【図４】
0004649320.tif 000005
【図５】
0004649320.tif 000006
【図６】
0004649320.tif 000007
【図７】
0004649320.tif 000008
【図８】
0004649320.tif 000009
【図９】
0004649320.tif 000010